(57)【要約】【課題】視聴中の放送信号源を、映像の邪魔にならずに視聴者が明確に簡単に認識でき、放送信号源からの伝送が有料である場合、視聴者が気付かずに視聴し続けることを防止でき、構成が簡素で、量産し易く、組込み易く、経済的なインジケーター装置を提供する。【解決手段】検出部３とインジケーター部４とを備え、インジケーター部４には、ケーブルテレビ用受信表示部５や、地上波用受信表示部６や、衛星用受信表示部７や、インターネット用受信表示部８の如き複数の表示部を設け、検出部３は、ケーブルテレビ局１０や各種アンテナ１１、１２、１３、１４やインターネット１５から伝送される放送信号を検出可能となるよう形成し、テレビ受像機Ａやモニターや受像機器の受像パネル１に表示中の映像の放送信号源を検出部３で常時検出すると共に、検出した放送信号源に対応する何れかの表示部を点灯するよう構成する。【選択図】図１
0003159987.tif 000002
【実用新案登録請求の範囲】
【請求項１】
テレビ受像機やパソコンのモニターやその他の受像機器に設けられるインジケーター装置であって、テレビ受像機やパソコン本体或いはモニターや受像機器に内蔵される検出部と、テレビ受像機やモニターや受像機器のフレームの一部に設けられるインジケーター部とを備え、このインジケーター部には、ケーブルテレビ用受信表示部や、地上波用受信表示部や、衛星用受信表示部や、インターネット用受信表示部の如き複数の表示部を設け、検出部は、ケーブルテレビ局や各種アンテナやインターネットから伝送される放送信号を検出可能となるように形成され、テレビ受像機やモニターや受像機器の受像パネルに表示中の映像の放送信号源を検出部で常時検出するように構成すると共に、この検出された放送信号源に対応する何れかの表示部が点灯するように構成したことを特徴とするインジケーター装置。
【請求項２】
テレビ受像機やパソコンのモニターやその他の受像機器に設けられるインジケーター装置であって、テレビ受像機やパソコン本体或いはモニターや受像機器に内蔵される検出部と、テレビ受像機やモニターや受像機器のフレームの一部に設けられるインジケーター部とを備え、このインジケーター部には、ケーブルテレビ用受信表示部や、地上波用受信表示部や、衛星用受信表示部や、インターネット用受信表示部や、異常電波受信表示部の如き複数の表示部を設け、検出部は、ケーブルテレビ局や各種アンテナやインターネットから伝送される放送信号や異常電波を検出可能となるように形成され、テレビ受像機Ａやモニターや受像機器の受像パネルに表示中の映像の放送信号源、或いは異常電波を検出部で常時検出するように構成すると共に、この検出された放送信号源、或いは異常電波に対応する何れかの表示部が点灯するように構成したことを特徴とするインジケーター装置。
【請求項３】
前記地上波用受信表示部を、地上アナログ波用受信表示部と、地上デジタル波用受信表示部とに分けて設け、前記衛星波用受信表示部を、ＢＳ衛星用受信表示部と、ＣＳ衛星用受信表示部とに分けて設けたことを特徴とする請求項１または請求項２記載のインジケーター装置。
【請求項４】
各表示部の表面部分或いは各表示部の近傍に、これらを個別に表現するマーク或いは文字を設けたことを特徴とする請求項１または請求項２または請求項３記載のインジケーター装置。
【考案の詳細な説明】
【技術分野】
【０００１】
本考案は、例えば、テレビ受像機やパソコンのモニターやその他の受像機器（例えば、携帯電話やチューナーを備えた携帯ゲーム機器やカーナビや携帯型ナビゲーション装置等）や適宜電波（或いは電磁波）を受信可能なその他の機器等に設けられるインジケーター装置に係るものであり、主に、視聴中の映像（或いは音声）が、ケーブルテレビ局から伝送されたもの、地上波（アナログ或いはデジタル）で伝送されたもの、衛星（ＢＳ或いはＣＳ）から伝送されたもの、或いは、インターネットを経由したもの何れかを、視聴者が明確に且つ簡単に認識できるように工夫したインジケーター装置に関するものである。
【背景技術】
【０００２】
例えば、従来のテレビ受像機にあっては、ケーブルテレビからの放送信号や、地上アナログ波による放送信号や、地上デジタル波による放送信号や、ＢＳ衛星からの放送信号や、ＣＳ衛星からの放送信号や、インターネットを経由した放送信号等を、適宜選択して視聴することができるように構成されている（例えば、特許文献１）。
また、その他の受像機器として携帯電話にあっては、ワンセグ放送や、インターネットを経由した放送信号等を受信できるように構成されている。
【先行技術文献】
【特許文献】
【０００３】
【特許文献１】特開平５−２５２４５９号公報
【考案の概要】
【考案が解決しようとする課題】
【０００４】
ところが、従来のテレビ受像機（或いは携帯電話等）にあっては、現在視聴中の放送信号源が何れであるのかを簡単に且つ瞬時に判別することができない難点があった。すなわち、これらを判別するには、リモコン等を操作して入力の選択状態を確認する操作が必要であり、面倒であった。特に、機器類の操作に詳しくない視聴者にとっては、そのような操作による判別が難しいものとなっていた。
そのため、放送信号源からの伝送が有料であるような場合（例えば、ケーブルテレビからの放送信号や、ＣＳ衛星からの放送信号や、インターネットを経由した放送信号等）に、視聴者が気付かずに視聴し続けてしまい、視聴者の意識にない請求が発生してしまうといった心配があった。
そこで、本願考案者は、前述のような問題点等が発生することが無いようなインジケーター装置を案出したものである。
【課題を解決するための手段】
【０００５】
しかして、前述の如き課題を達成できるようにすべく、本考案の請求項１記載のインジケーター装置にあっては、テレビ受像機Ａやパソコンのモニターやその他の受像機器に設けられるインジケーター装置であって、テレビ受像機Ａやパソコン本体或いはモニターや受像機器に内蔵される検出部３と、テレビ受像機Ａやモニターや受像機器のフレーム２の一部に設けられるインジケーター部４とを備え、このインジケーター部４には、ケーブルテレビ用受信表示部５や、地上波用受信表示部６や、衛星用受信表示部７や、インターネット用受信表示部８の如き複数の表示部を設け、検出部３は、ケーブルテレビ局１０や各種アンテナ１１、１２、１３、１４やインターネット１５から伝送される放送信号を検出可能となるように形成され、テレビ受像機Ａやモニターや受像機器の受像パネル１に表示中の映像の放送信号源を検出部３で常時検出するように構成すると共に、この検出された放送信号源に対応する何れかの表示部が点灯するように構成する手段を採用した。
【０００６】
また、本考案の請求項２記載のインジケーター装置にあっては、テレビ受像機Ａやパソコンのモニターやその他の受像機器に設けられるインジケーター装置であって、テレビ受像機Ａやパソコン本体或いはモニターや受像機器に内蔵される検出部３と、テレビ受像機Ａやモニターや受像機器のフレーム２の一部に設けられるインジケーター部４とを備え、このインジケーター部４には、ケーブルテレビ用受信表示部５や、地上波用受信表示部６や、衛星用受信表示部７や、インターネット用受信表示部８や、異常電波受信表示部９の如き複数の表示部を設け、検出部３は、ケーブルテレビ局１０や各種アンテナ１１、１２、１３、１４やインターネット１５から伝送される放送信号や異常電波を検出可能となるように形成され、テレビ受像機Ａやモニターや受像機器の受像パネル１に表示中の映像の放送信号源、或いは異常電波を検出部３で常時検出するように構成すると共に、この検出された放送信号源、或いは異常電波に対応する何れかの表示部が点灯するように構成する手段を採用した。
【０００７】
更に、本考案の請求項３記載のインジケーター装置にあっては、前記地上波用受信表示部６を、地上アナログ波用受信表示部６ａと、地上デジタル波用受信表示部６ｂとに分けて設け、前記衛星波用受信表示部７を、ＢＳ衛星用受信表示部７ａと、ＣＳ衛星用受信表示部７ｂとに分けて設ける手段を採用した。
【０００８】
そして、本考案の請求項４記載のインジケーター装置にあっては、各表示部の表面部分或いは各表示部の近傍に、これらを個別に表現するマーク或いは文字を設ける手段を採用した。
【考案の効果】
【０００９】
従って、請求項１のインジケーター装置によれば、インジケーター部４に設けたケーブルテレビ用受信表示部５や地上波用受信表示部６や衛星用受信表示部７やインターネット用受信表示部８が点灯することにより、テレビ受像機Ａやパソコンのモニターやその他の受像機器に於いて視聴中の映像（或いは音声）が、ケーブルテレビ局１０から伝送されたもの、地上波（アナログ或いはデジタル）で伝送されたもの、衛星（ＢＳ或いはＣＳ）から伝送されたもの、或いは、インターネット１５を経由したもの何れかを、視聴者が明確に、簡単に、且つ瞬時に認識できるようになる。ひいては、視聴者に放送信号源からの伝送が有料であるのか或いは無料であるのかを常に意識させることができるようになり、放送信号源からの伝送が有料であるような場合に、視聴者が気付かずに視聴し続けてしまうようなことを確実に防止できるようになる。
しかも、インジケーター装置自体の構成が簡素となり、量産し易く、テレビ受像機Ａやパソコンのモニターやその他の受像機器に組込み易く、経済的に優れたものとなる。
加えて、本考案のインジケーター装置は、有料システムの課金等に利用し易いものとなると共に、視聴中の映像（或いは音声）の邪魔にならないものとなる。
【００１０】
また、請求項２のインジケーター装置によれば、インジケーター部４に設けたケーブルテレビ用受信表示部５や地上波用受信表示部６や衛星用受信表示部７やインターネット用受信表示部８が点灯することにより、テレビ受像機Ａやパソコンのモニターやその他の受像機器に於いて視聴中の映像（或いは音声）が、ケーブルテレビ局１０から伝送されたもの、地上波（アナログ或いはデジタル）で伝送されたもの、衛星（ＢＳ或いはＣＳ）から伝送されたもの、或いは、インターネット１５を経由したもの何れかを、視聴者が明確に、簡単に、且つ瞬時に認識できるようになる。ひいては、視聴者に放送信号源からの伝送が有料であるのか或いは無料であるのかを常に意識させることができるようになり、放送信号源からの伝送が有料であるような場合に、視聴者が気付かずに視聴し続けてしまうようなことを確実に防止できるようになる。
そして、異常電波受信表示部９を設け、これが点灯することにより、異常電波が伝送されていることを、視聴者が明確に、簡単に、且つ瞬時に認識できるようになる。
しかも、インジケーター装置自体の構成が簡素となり、量産し易く、テレビ受像機Ａやパソコンのモニターやその他の受像機器に組込み易く、経済的に優れたものとなる。
加えて、本考案のインジケーター装置は、有料システムの課金等に利用し易いものとなると共に、視聴中の映像（或いは音声）の邪魔にならないものとなる。
【００１１】
更に、請求項３のインジケーター装置によれば、インジケーター部４に設けた地上アナログ波用受信表示部６ａや地上デジタル波用受信表示部６ｂやＢＳ衛星用受信表示部７ａやＣＳ衛星用受信表示部７ｂが点灯することにより、テレビ受像機Ａやパソコンのモニターやその他の受像機器に於いて視聴中の映像（或いは音声）が、地上アナログ波で伝送されたもの、地上デジタル波で伝送されたもの、ＢＳ衛星から伝送されたもの、或いは、ＣＳ衛星から伝送されたもの何れであるのかを、視聴者が明確に、簡単に、且つ迅速に認識できるようになる。
【００１２】
そして、請求項４のインジケーター装置によれば、視聴中の映像（或いは音声）の放送信号源を、視聴者がより明確に認識できるようになる。
【図面の簡単な説明】
【００１３】
【図１】本考案のインジケーター装置が組込まれたテレビ受像機を例示する概略図である。
【考案を実施するための形態】
【００１４】
以下、本考案を説明すると、次の通りである。
本考案は、テレビ受像機Ａやパソコンのモニターやその他の受像機器（例えば、携帯電話やチューナーを備えた携帯ゲーム機器やカーナビや携帯型ナビゲーション装置等）に設けられるインジケーター装置である。
具体的には、テレビ受像機Ａやパソコン本体或いはモニターや受像機器に内蔵される検出部３と、テレビ受像機Ａやモニターや受像機器のフレーム２の一部に設けられるインジケーター部４とを備えたものである。
そして、インジケーター部４には、ケーブルテレビ用受信表示部５や、地上波用受信表示部６や、衛星用受信表示部７や、インターネット用受信表示部８の如き複数の表示部を設けてある。
更に、検出部３は、ケーブルテレビ局１０や各種アンテナ１１、１２、１３、１４やインターネット１５から伝送される放送信号を検出可能となるように形成され、テレビ受像機Ａやモニターや受像機器の受像パネル１に表示中の映像の放送信号源を検出部３で常時検出するように構成すると共に、この検出された放送信号源に対応する何れかの表示部が点灯するように構成することで、前記課題を達成する。
【実施例】
【００１５】
図示例のテレビ受像機Ａは、例えば、受像パネル１とフレーム２とを有し、フレーム２の一部（正面がわ部分、或いはその他の部分でも良い）にはインジケーター部４が設けられている。尚、テレビ受像機Ａは、パソコンのモニターやその他の受像機器（例えば、携帯電話やチューナーを備えた携帯ゲーム機器やカーナビや携帯型ナビゲーション装置等）であっても良い。また、適宜電波（或いは電磁波）を受信可能なその他の適宜機器（例えば、ラジオ等）であっても良い。
【００１６】
前記インジケーター部４は、例えば、ケーブルテレビ用受信表示部５や、地上波用受信表示部６（地上アナログ波用受信表示部６ａ、地上デジタル波用受信表示部６ｂ）や、衛星用受信表示部７（ＢＳ衛星用受信表示部７ａ、ＣＳ衛星用受信表示部７ｂ）や、インターネット用受信表示部８や異常電波受信表示部９の如き複数の表示部によって構成されている。
尚、これらの表示部は、例えば、ＬＥＤ等によるモニターランプと、このモニターランプを覆う透光性を有する樹脂製カバーとによって形成されており、検出部３で検出された放送信号源（或いは、異常電波）に該当する表示部のモニターランプが点灯するように形成されている。
【００１７】
また、各表示部は、カバーの表面部分或いは各表示部の近傍部分に、これらを個別に表現するマーク或いは文字を設けるようにしても良い。すなわち、視聴中の映像（或いは音声）の放送信号源（或いは、異常電波が伝送されていること）を、視聴者がより明確に認識できるように形成される。
ところで、モニターランプは、適宜色彩のものを自由に利用でき、例えば、有料の放送信号源等の場合は、視聴者に注意を強く促せるように赤色にしても良い。
【００１８】
検出部３は、テレビ受像機Ａやモニターやその他の受像機器の受像パネル１に表示中の映像（或いは音声）の放送信号源（或いは、異常電波）を、ケーブルテレビ局１０からの放送信号、地上アナログ波用アンテナ１１からの放送信号、地上デジタル波用アンテナ１２からの放送信号、ＢＳ衛星用アンテナ１３からの放送信号、ＣＳ衛星用アンテナ１４からの放送信号、インターネット１５を経由した放送信号の内から（或いは、異常電波は前記放送信号以外から）検出できるように構成されている。
そして、検出した放送信号源（或いは、異常電波）に該当する表示部のモニターランプを点灯できるように構成されている。
【００１９】
ところで、インジケーター装置は、専用のＯＮ−ＯＦＦスイッチを設けることにより、インジケーター装置自体を作動させたり或いは停止させたりすることができるように形成しても良い。
【００２０】
加えて、前記インジケーター部４は、例えば、一つの液晶ディスプレイや、光電管を利用して構成した表示装置であっても良い。すなわち、検出部３で検出された放送信号源（或いは、異常電波）に対応する表示を、液晶ディスプレイや、光電管を利用して構成した表示装置に、具体的に表示するようしたものでも良い。
【００２１】
更に、前記検出部３には、例えば、放送信号源（或いは、異常電波）の検出時刻や検出時間を記憶できるようなタイマーを有する記憶装置を設けても良い。すなわち、放送信号源が有料である場合に、その料金計算の基礎となる時間データーを記憶できるように構成しておくことも可能である。
しかも、この時間データーを基に計算された料金は、前記インジケーター部４の液晶ディスプレイや、光電管を利用して構成した表示装置で表示できるようにしても良い。すなわち、視聴者が有料料金の金額をいつでも把握することができるようにする。
また、これらのデーターを、有料放送信号源を運営する会社に送れるようにして、請求額を算出することも可能となる。
【００２２】
尚、前記異常電波は、ケーブルテレビ局１０からの放送信号、地上アナログ波用アンテナ１１からの放送信号、地上デジタル波用アンテナ１２からの放送信号、ＢＳ衛星用アンテナ１３からの放送信号、ＣＳ衛星用アンテナ１４からの放送信号、インターネット１５を経由した放送信号等の電波以外の想定外の電波や電磁波を含むものである。
【００２３】
本考案のインジケーター装置は、以上に述べた実施形態に限られるものではなく、発明の要旨を逸脱しない範囲内で各種の変更が可能なものである。
【産業上の利用可能性】
【００２４】
しかして、本考案のインジケーター装置によれば、テレビ受像機Ａやパソコンのモニターやその他の受像機器に於いて視聴中の映像（或いは、音声）の放送信号源が、表示部の点灯により、明確に認識できるようになる。ひいては、放送信号源からの伝送が有料であるような場合でも、視聴者が気付かずに視聴し続けてしまうようなことを防止できるようになる。しかも、インジケーター装置は、視聴中の映像（或いは音声）の邪魔にならず、視聴者が映像（或いは音声）に集中できるものとなる。
【符号の説明】
【００２５】
Ａ      テレビ受像機
１      受像パネル
２      フレーム
３      検出部
４      インジケーター部
５      ケーブルテレビ用受信表示部
６      地上波用受信表示部
６ａ    地上アナログ波用受信表示部
６ｂ    地上デジタル波用受信表示部
７      衛星用受信表示部
７ａ    ＢＳ衛星用受信表示部
７ｂ    ＣＳ衛星用受信表示部
８      インターネット用受信表示部
９      異常電波受信表示部
１０    ケーブルテレビ局
１１    地上アナログ波用アンテナ
１２    地上デジタル波用アンテナ
１３    ＢＳ衛星用アンテナ
１４    ＣＳ衛星用アンテナ
１５    インターネット
【図１】
0003159987.tif 000003
【手続補正書】
【提出日】平成22年3月29日(2010.3.29)
【手続補正１】
【補正対象書類名】明細書
【補正対象項目名】０００７
【補正方法】変更
【補正の内容】
【０００７】
更に、本考案の請求項３記載のインジケーター装置にあっては、前記地上波用受信表示部６を、地上アナログ波用受信表示部６ａと、地上デジタル波用受信表示部６ｂとに分けて設け、前記衛星用受信表示部７を、ＢＳ衛星用受信表示部７ａと、ＣＳ衛星用受信表示部７ｂとに分けて設ける手段を採用した。
【手続補正２】
【補正対象書類名】実用新案登録請求の範囲
【補正対象項目名】請求項２
【補正方法】変更
【補正の内容】
【請求項２】
テレビ受像機やパソコンのモニターやその他の受像機器に設けられるインジケーター装置であって、テレビ受像機やパソコン本体或いはモニターや受像機器に内蔵される検出部と、テレビ受像機やモニターや受像機器のフレームの一部に設けられるインジケーター部とを備え、このインジケーター部には、ケーブルテレビ用受信表示部や、地上波用受信表示部や、衛星用受信表示部や、インターネット用受信表示部や、異常電波受信表示部の如き複数の表示部を設け、検出部は、ケーブルテレビ局や各種アンテナやインターネットから伝送される放送信号や異常電波を検出可能となるように形成され、テレビ受像機やモニターや受像機器の受像パネルに表示中の映像の放送信号源、或いは異常電波を検出部で常時検出するように構成すると共に、この検出された放送信号源、或いは異常電波に対応する何れかの表示部が点灯するように構成したことを特徴とするインジケーター装置。
【手続補正３】
【補正対象書類名】実用新案登録請求の範囲
【補正対象項目名】請求項３
【補正方法】変更
【補正の内容】
【請求項３】
前記地上波用受信表示部を、地上アナログ波用受信表示部と、地上デジタル波用受信表示部とに分けて設け、前記衛星用受信表示部を、ＢＳ衛星用受信表示部と、ＣＳ衛星用受信表示部とに分けて設けたことを特徴とする請求項１または請求項２記載のインジケーター装置。